(57)【要約】【課題】吸着ベルト搬送区間によって、シートを処置する機械にシートを供給する方法であって、吸着ベルト搬送区間が、相前後して配置された少なくとも２つの搬送ベルト区分を備えている方法を改良して、２つの搬送区分のために単個の駆動装置しか必要としないものを提供する。【解決手段】下側にずれ重ねて位置する後続のシート７ｂが、搬送区分Ｉの第１の吸着チャンバ２６から、先行するシート７ａを分離するようにし、搬送ベルト２７を、第２の搬送区分ＩＩの領域で、先ず加速し、次いで搬送ベルト２７を、第２の搬送区分ＩＩの領域で、減速する。【選択図】図２
2008143708.tif 000002
【特許請求の範囲】
【請求項１】
吸着ベルト搬送区間によって、シートを処置する機械にシートを供給する方法であって、該吸着ベルト搬送区間が、相前後して配置された少なくとも２つの搬送ベルト区分を備えている方法において、
下側にずれ重ねて位置する後続のシート（７ｂ）が、搬送区分（Ｉ）の第１の吸着チャンバ（２６）から、先行するシート（７ａ）を分離するようにし、
搬送ベルト（２７）を、第２の搬送区分（ＩＩ）の領域で、先ず加速し、
次いで搬送ベルト（２７）を、第２の搬送区分（ＩＩ）の領域で、減速することを特徴とする、シートを処置する機械にシートを供給する方法。
【請求項２】
吸着ベルト搬送区間によって、シートを処置する機械にシートを供給する装置であって、該吸着ベルト搬送区間が、相前後して配置された少なくとも２つの搬送ベルト区分を備えている形式のものにおいて、
両方の搬送ベルト区分（Ｉ，ＩＩ）のために単個の搬送ベルト（２７）が設けられており、
搬送ベルト（２７）が、両方の前記搬送ベルト区分の１つで、正弦波状の駆動関数で駆動可能になっていることを特徴とする、シートを処理する機械にシートを供給する装置。
【請求項３】
搬送ベルト（２７）の正弦波状の駆動関数に関して、前記搬送ベルト区分（Ｉ，ＩＩ）の１つに、位相調節伝動装置（３３）が設けられている、請求項２記載の装置。
【請求項４】
位相調節伝動装置が、周期的に並進運動可能なスライダ（３３）である、請求項３記載の装置。
【請求項５】
スライダ（３３）が、２つの変向ローラ（３２，３９）を備えており、これらの変向ローラ（３２，３９）に、搬送ベルト（２７）が巻き掛けられている、請求項４記載の装置。
【請求項６】
スライダ（３３）が、カムローラ伝動装置（３４，３６）によって駆動可能に配置されている、請求項５記載の装置。
【請求項７】
搬送ベルト（２７）が、駆動ローラ（２９）によって、一定の速度（ω）で駆動可能になっている、請求項２から６までのいずれか１項記載の装置。
【請求項８】
前記搬送ベルト区分（Ｉ，ＩＩ）に吸着チャンバ（２６，２８）が対応配置されており、これらの吸着チャンバ（２６，２８）が、互いに無関係に吸込空気で負荷可能になっている、請求項２から７までのいずれか１項記載の装置。
【請求項９】
請求項２から８までのいずれか１項記載の装置を備えた枚用輪転印刷機。
【発明の詳細な説明】
【技術分野】
【０００１】
本発明は、搬送区間によって、シートを処理する機械、特に印刷機にシートを供給する方法および装置であって、該搬送区間が、いわゆる吸着ベルト台を備えており、該吸込ベルト台が、相前後して配置された少なくとも２つの搬送区分を備えているものに関する。
【背景技術】
【０００２】
このような吸着ベルト台は、ドイツ連邦共和国特許公告第１１５２７０７号明細書から公知である。ここでは相前後して配置された第１の搬送区間ならびに第２の搬送区間に、それぞれ搬送ベルトが巻き掛けられている。
【０００３】
各搬送ベルトは、独自の駆動装置を備えているので、搬送ベルトはそれぞれ異なる速度で駆動可能である。
【特許文献１】ドイツ連邦共和国特許公告第１１５２７０７号明細書
【発明の開示】
【発明が解決しようとする課題】
【０００４】
したがって本発明の課題は、冒頭で述べた形式の、シートを処理する機械にシートを供給する方法および装置を改良して、２つの搬送区分のために単個の駆動装置しか必要としないものを提供することである。
【課題を解決するための手段】
【０００５】
この課題を解決するための本発明の方法によれば、吸着ベルト搬送区間によって、シートを処置する機械にシートを供給する方法であって、該吸着ベルト搬送区間が、相前後して配置された少なくとも２つの搬送ベルト区分を備えている方法において、下側にずれ重ねて位置する後続のシートが、搬送区分の第１の吸着チャンバから、先行するシートを分離するようにし、搬送ベルトを、第２の搬送区分の領域で、先ず加速し、次いで搬送ベルトを、第２の搬送区分の領域で、減速する。
【０００６】
この課題を解決するための本発明の装置によれば、吸着ベルト搬送区間によって、シートを処置する機械にシートを供給する装置であって、該吸着ベルト搬送区間が、相前後して配置された少なくとも２つの搬送ベルト区分を備えている形式のものにおいて、両方の搬送ベルト区分のために単個の搬送ベルトが設けられており、搬送ベルトが、両方の前記搬送ベルト区分の１つで、正弦波状の駆動関数で駆動可能になっている。
【０００７】
有利には、搬送ベルトの正弦の駆動関数に関して、前記搬送ベルト区分の１つに、位相調節伝動装置が設けられている。
【０００８】
有利には、位相調節伝動装置が、周期的に並進運動可能なスライダである。
【０００９】
有利には、スライダが、２つの変向ローラを備えており、これらの変向ローラに、搬送ベルトが巻き掛けられている。
【００１０】
有利には、スライダが、カムローラ伝動装置によって駆動可能に配置されている。
【００１１】
有利には、搬送ベルトが、駆動ローラによって、一定の速度で駆動可能になっている。
【００１２】
有利には、前記搬送ベルト区分に吸着チャンバが対応配置されており、これらの吸着チャンバが、互いに無関係に吸込空気で負荷可能になっている。
【００１３】
またこのようなシートを処置する機械にシートを供給する装置を備えた枚用輪転印刷機が有利である。
【発明の効果】
【００１４】
本発明の利点によれば、相前後して配置されたそれぞれ分離した２つの搬送区分のために単個の駆動モータしか必要とされない。
【００１５】
単個の搬送ベルトから成る２つの搬送区分の間の相対速度を形成するために、位相調節伝動装置が設けられており、位相調節伝動装置は、シート搬送方向で、もしくはシート搬送方向とは反対方向で運動可能なスライダから成っており、スライダは、２つの変向ローラを備えている。
【００１６】
有利には、スライダの往復運動は、シートを処理する機械のサイクルで駆動される制御カムによって形成される。
【００１７】
本発明による、シートを供給する方法では、搬送ベルトと作用結合している吸着箱体の接続および遮断は、スライダの運動と連結されている。
【発明を実施するための最良の形態】
【００１８】
次に本発明の実施の形態を、図示の実施例を用いて詳しく説明する。
【００１９】
シート７を処理する機械、たとえば印刷機１は、給紙装置２と少なくとも１つの印刷装置３，４と排紙装置６とを備えている。シート７は、パイル８から取り出されて、個別化されるかまたは刺身状にずれ重ねられて給紙台９を介して印刷装置３，４に供給される。印刷装置３，４は、公知の形式でそれぞれ版胴１１，１２を備えている。版胴１１，１２は、それぞれフレキシブルな刷版を取り付けるための装置１３，１４を備えている。さらに各版胴１１，１２に、半自動式または全自動式に刷版交換を行うための装置１６，１７が対応配置されている。
【００２０】
パイル８は、昇降制御可能な積紙板１０に載置されている。シート７の取出は、いわゆる吸着ヘッド１８によってパイル８の上面から行われ、吸着ヘッド１８は、特にシート７を個別化するための幾つかの昇降サッカ１９と送りサッカ２１とを備えている。さらに上位のシート層をほぐすための吹出装置２２と、パイル後方ガイドのための接触エレメント２３とが設けられている。パイル８、特にパイル８の上位のシート７を方向調整するために、側方および後方のストッパ２４が設けられている。
【００２１】
給紙台９は、シート搬送方向でみて相前後して配置された搬送区分Ｉ，ＩＩから成っており、この場合第１の搬送区分Ｉは、第１の吸着箱体２６を備えており、吸着箱体２６に、エンドレスに循環走行する搬送ベルト２７が巻き掛けられている。第２の搬送区分ＩＩは、第２の吸着箱体２８を備えており、第２の吸着箱体２８にも同様に搬送ベルト２７が巻き掛けられている。吸着箱体２６，２８は、様々な圧力レベルの吸込空気で負荷されるようになっている。
【００２２】
給紙台９は、大体においてパイル８から、前縁ストッパ２５まで、またはシートを処理する機械、たとえば印刷機１を通ってシートを搬送するために設けられたグリッパ装置３５まで延びている。
【００２３】
給紙台９の始端部で、第１の吸着箱体２６の上流側に、搬送ベルト２７のための駆動ローラ２９が配置されている。変向ローラ３１が、シート搬送方向でみて第１の吸着箱体２６の下流側に配置されていて、かつ搬送ベルト２７を吸着箱体２６の下方に向ける。そこで搬送ベルト２７は、位相調節伝動装置３３の第１の変向ローラ３２に巻き掛けられている。定置に配置された別の変向ローラ３４を介して、搬送ベルト２７は、第２の吸着箱体２８の上流側に配置された変向ローラ３６に達する。第２の吸着箱体２８の下流側に別の変向ローラ３７が配置されており、変向ローラ３７は、搬送ベルト２７を吸着箱体２８の下方に向ける。定置に配置された変向ローラ３８を介して、搬送ベルト２７は、位相調節伝動装置３３の第２の変向ローラ３９に達する。第２の変向ローラ３９は、搬送ベルト２７を、駆動ローラ２９に向ける。駆動ローラ２９は、有利には一定の速度で駆動される（角速度ω）。
【００２４】
必要な場合、正弦波状のベルト駆動装置を設けることができ、ベルト駆動装置は、たとえば機械制御装置に記憶された特性曲線に従って駆動される。
【００２５】
位相調節装置３３は、主に搬送ベルト方向で、もしくは搬送ベルト方向とは逆方向で往復運動可能なスライダから成っており、スライダに、両方の変向ローラ３２，３９が配置されている。
【００２６】
スライダ３３は、制御カム４０によって、シートを処理する機械のサイクルで駆動される。この場合スライダ３３に配置された制御ローラ４１は、制御カム４０の制御輪郭と作用接触している。スライダ３３が移動すると、搬送ベルト２７の負荷区分長さが、無負荷区分長さが延長もしくは短縮するのと同じ値だけ短縮もしくは延長するように、スライダ３３に変向ローラ３２，３９が配置されている。このような構成手段によって、搬送ベルト負荷は一定に維持される。したがって第１の搬送ベルト区分Ｉのベルト速度ＶIは、専ら駆動ローラ２９の角速度ωに依存する。角速度ωは、有利には一定である。第２の搬送ベルト区分ＩＩの搬送ベルト速度ＶIIは、駆動ローラ２９の角速度ωとスライダ３３の速度ＶSとに依存する。したがって搬送ベルト速度ＶIIは、特にスライダ速度ＶSによって制御される。
【００２７】
スライダ３３の運動関数は、機械速度に依存する。
【００２８】
シートの到来が、シート到来調整装置によって、特定の機械角度に対して調整されていて、搬送ベルト速度ＶIが、このシート到来角度に対して同じであるので、シートは、常に最低速度で後続搬送手段または前当てに到着し、それも処理しようとするシート流れのずれ重ね長さＳに依存して到着するよう保証される。
【００２９】
本発明によるシートを供給する方法では、シート７ａの下側にずれ重なって位置する後続のシート７ｂが第１の吸着チャンバ２６を完全にカバーすると、スライダ３３は、制御カム４０によって先ずシート搬送方向に向けられるので、シート７ａには、第２の吸着チャンバ２８の吸着作用しか及ぼされない。スライダ３３の変向によって、搬送ベルト２７は、第２の吸着チャンバ２８の領域で加速され、その結果シート７ａは比較的迅速に搬送される。
【００３０】
したがってシート７，７ａを、専ら低下した速度で前当て２５に到達させるか、または別の搬送装置に引き渡すために、スライダ３３は、シート搬送方向とは逆向きに移動し、これによって搬送ベルト速度ＶIIは、第２の吸着チャンバ２８の領域で低下する。
【００３１】
シート７を側方で方向調整するために、第２の吸着チャンバ２８における負圧は、短時間停止することができる。
【図面の簡単な説明】
【００３２】
【図１】シートを処理する機械を概略的に示す断面図である。
【図２】本発明による給紙台を示す断面図である。
【符号の説明】
【００３３】
１  印刷機、  ２  給紙装置、  ３  印刷機、  ４  印刷機、  ６  排紙装置、  ７  シート、  ７ａ  第１のシート、  ７ｂ  第２のシート、  ７ｃ  第３のシート、  ８  パイル、  ９  給紙台、  １０  積紙台、  １１  版胴、  １２  版胴、  １３  刷版取付装置、  １４  刷版取付装置、  １６  刷版交換装置、  １７  刷版交換装置、  １８  吸着ヘッド、  １９  昇降サッカ、  ２１  送りサッカ、  ２２  吹出装置、  ２３  接触エレメント、  ２４  ストッパ、  ２５  前当て、  ２６  第１の吸着チャンバ、  ２７  搬送ベルト、  ２８  第２の吸着チャンバ、  ２９  駆動ローラ、  ３１  変向ローラ、  ３２  変向ローラ、  ３３  スライダ、  ３４  変向ローラ、  ３５  グリッパ装置、  ３６  変向ローラ、  ３７  変向ローラ、  ３８  変向ローラ、  ３９  変向ローラ、  ４０  制御カム、  ４１  制御ローラ、  Ｉ  搬送ベルト区分、  ＩＩ  搬送ベルト区分、  ＶS  スライダ速度、  ＶI  搬送ベルト速度、  ＶII  搬送ベルト速度、  ω  角速度、  ｓ  ずれ重ね長さ
【図１】
2008143708.tif 000003
【図２】
2008143708.tif 000004